(57)【要約】【課題】ショートアークランプが発する光の可視光強度よりも充分に高い強度の可視光を出射することができる光源装置を提供する。【解決手段】ショートアークランプ１からの放射光を反射して出射口１１から出射するリフレクタ１０を、入射光のうち、可視光を透過させ、紫外光を蛍光に変換して出射する蛍光ガラスからなるリフレクタボディ１２と、このボディ１２の外面に形成された反射膜１３とにより形成し、さらに前記リフレクタ１０の出射口１１の前方に紫外線反射膜１６を配置した。【選択図】    図１
2004206949.tif 000002
【特許請求の範囲】
【請求項１】
内部に一対の電極が近接対向させて設けられた透光性バルブ内に、前記電極間に発生するアークにより発光する物質が封入されたショートアークランプと、一端に光の出射口を有し、内部に収容された前記ランプからの放射光を反射して前記出射口から出射するリフレクタと、前記ランプ内の前記電極間の発光部と前記リフレクタの反射面との間に設けられ、前記ランプ内の発光部からの光のうち、可視光を透過させ、紫外光を可視光に変換して出射する波長変換手段とを備えたことを特徴とする光源装置。
【請求項２】
波長変換手段は、入射光のうち、可視光を透過させ、紫外光を蛍光に変換して出射する蛍光ガラスからなっていることを特徴とする請求項１に記載の光源装置。
【請求項３】
リフレクタが、蛍光ガラスからなるリフレクタボディと、このボディの外面に形成された反射膜とからなっていることを特徴とする請求項２に記載の光源装置。
【請求項４】
リフレクタの出射口の前方に紫外線反射膜がさらに配置されていることを特徴とする請求項３に記載の光源装置。
【請求項５】
ショートアークランプの透光性バルブが蛍光ガラスからなっていることを特徴とする請求項２に記載の光源装置。
【請求項６】
透光性バルブの外面に紫外線反射膜が設けられていることを特徴とする請求項５に記載の光源装置。
【請求項７】
ショートアークランプの外側に、その発光部に対応する部分を囲んで、蛍光ガラスからなるランプカバーが配置されていることを特徴とする請求項２に記載の光源装置。
【請求項８】
ランプカバーの外面に紫外線反射膜が設けられていることを特徴とする請求項７に記載の光源装置。
【発明の詳細な説明】
【０００１】
【発明の属する技術分野】
この発明はプロジェクタ等に用いられる光源装置に関するものである。
【０００２】
【従来の技術】
プロジェクタ等に用いられる光源装置は、光を発するランプと、一端に光の出射口を有し、内部に収容された前記ランプからの放射光を反射して前記出射口から出射するリフレクタとからなっている。
【０００３】
ところで、前記光源装置のランプには、内部に一対の電極が近接対向させて設けられた透光性バルブ内に、前記電極間に発生するアークにより発光する物質が封入された、メタルハライドランプや高圧水銀ランプ等のショートアークランプが用いられている。
【０００４】
このショートアークランプは、紫外線帯域から赤外線帯域にわたる広帯域の波長光を発するが、プロジェクタ等が必要とする光は可視光であるため、前記ランプから出射した光の無駄が多い。
【０００５】
そのため、従来から、前記リフレクタの出射口に、入射光のうち、可視光を透過させ、紫外光を蛍光に変換して出射する蛍光ガラスを配置することにより、前記ランプから出射し、直接またはリフレクタにより反射されて前記リフレクタの出射口から出射する光のうちの紫外光を前記蛍光ガラスにより可視光帯域の波長の蛍光に変換し、その蛍光と前記蛍光ガラスを透過した可視光とを出射するようにした光源装置が提案されている（特許文献１参照）。
【０００６】
【特許文献１】
特開平１１−１９１３０８号公報
【０００７】
【発明が解決しようとする課題】
しかし、リフレクタの出射口に前記蛍光ガラスを配置した従来の光源装置は、前記蛍光ガラスにより変換された蛍光が完全拡散光であるため、その蛍光の大部分が前記リフレクタの出射角範囲の周囲に放散してしまい、光源装置から出射する可視光の強度を高くする効果がほとんど得られない。
【０００８】
これは、前記従来の光源装置のリフレクタの出射側に、防爆ガラスを取付けるための金属からなる筒状ホルダを設けた場合も同じであり、その場合も、前記蛍光ガラスにより変換された蛍光（完全拡散光）の大部分が前記筒状ホルダの内面で反射され、この筒状ホルダの出射端からその出射角範囲の周囲に放散して出射する。
【０００９】
この発明は、ショートアークランプが発する光の可視光強度よりも充分に高い強度の可視光を出射することができる光源装置を提供することを目的としたものである。
【００１０】
【課題を解決するための手段】
この発明の光源装置は、内部に一対の電極が近接対向させて設けられた透光性バルブ内に、前記電極間に発生するアークにより発光する物質が封入されたショートアークランプと、一端に光の出射口を有し、内部に収容された前記ランプからの放射光を反射して前記出射口から出射するリフレクタと、前記ランプ内の前記電極間の発光部と前記リフレクタの反射面との間に設けられ、前記ランプ内の発光部からの光のうち、可視光を透過させ、紫外光を可視光に変換して出射する波長変換手段とを備えたことを特徴とする。
【００１１】
この光源装置によれば、ショートアークランプ内の発光部とリフレクタの反射面との間に前記波長変換手段を設けているため、前記ランプ内の発光部からの光のうち、前記波長変換手段を透過した可視光と、前記波長変換手段により紫外光から可視光に変換された光との両方を、前記リフレクタの出射角範囲内に出射することができ、したがって、前記ショートアークランプが発する光の可視光強度よりも充分に高い強度の可視光を出射することができる。
【００１２】
この発明の光源装置において、前記波長変換手段は、入射光のうち、可視光を透過させ、紫外光を蛍光に変換して出射する蛍光ガラスが好ましい。
【００１３】
さらに、この光源装置は、前記リフレクタを、前記蛍光ガラスからなるリフレクタボディと、このボディの外面に形成された反射膜とにより形成した構成とするのが望ましい。
【００１４】
その場合、前記リフレクタの出射口の前方に紫外線反射膜をさらに配置するのが好ましい。
【００１５】
また、この発明の光源装置は、前記ショートアークランプの透光性バルブを前記蛍光ガラスにより形成した構成としてもよい。その場合は、前記透光性バルブの外面に紫外線反射膜を設けるのが好ましい。
【００１６】
さらに、この発明の光源装置は、前記ショートアークの外側に、その発光部に対応する部分を囲んで、前記蛍光ガラスからなるランプカバーを配置した構成としてもよい。その場合は、前記ランプカバーの外面に紫外線反射膜を設けるのが好ましい。
【００１７】
【発明の実施の形態】
図１〜図３はこの発明の第１の実施例を示しており、図１は光源装置の断面図、図２は前記光源装置のリフレクタの一部分のハッチングを省略した拡大断面図、図３は前記光源装置の防爆ガラス部の拡大断面図である。
【００１８】
この実施例の光源装置は、図１に示したように、メタルハライドランプまたは高圧水銀ランプ等のショートアークランプ１と、一端に光の出射口１１を有し、内部に収容された前記ランプ１からの放射光を反射して前記出射口１１から出射するリフレクタ１０と、前記リフレクタ１０の出射口１１の前方に配置された防爆ガラス１４とを備えている。
【００１９】
前記ショートアークランプ（メタルハライドランプまたは高圧水銀ランプ）１は、中間部に球状の膨らみ部を有するガラス管からなる透光性バルブ（以下、ランプバルブという）２の内部に、一対の棒状電極３，４がそれぞれの先端を前記膨らみ部内において近接対向させて設けられ、前記ランプバルブ２内に、前記電極３，４間に発生するアークにより発光する物質（図示せず）が封入されたものであり、前記電極３，４間が発光部Ａとなっている。
【００２０】
なお、前記ランプバルブ２の基端にはその端部を密封する口金５が設けられており、前記一対の棒状電極３，４のうち、一方の電極３は前記口金５内に固定され、他方の電極４は前記ランプバルブ２内の先端側に充填された封止材６により固定されている。
【００２１】
また、前記リフレクタ１０は、前記ショートアークランプ１内の発光部Ａにおいて発光し、このランプ１から放射される光を、図１に矢線で示したように前記出射口１１の前方に集光するように反射させる楕円面リフレクタであり、透光性のリフレクタボディ１２と、このボディ１２の外面に形成された反射膜１３とからなっている。
【００２２】
なお、このリフレクタ１０の反射膜１３は、前記ランプ１からの光によるリフレクタ１０内の昇温を抑制するために、赤外光を透過させ、他の光を反射する特性の赤外線透過反射膜とされている。
【００２３】
また、このリフレクタ１０の出射口１１とは反対側の端部には円筒状のネック部が形成されており、前記ショートアークランプ１は、その基端の口金５内に前記リフレクタ１０のネック部を嵌合させて封止することにより前記リフレクタ１０内に設けられている。
【００２４】
さらに、前記リフレクタボディ１２は、前記ランプ１内の発光部Ａからの光のうち、可視光を透過させ、紫外光を可視光に変換して出射する波長変換手段を兼ねている。
【００２５】
この実施例では、前記リフレクタボディ１２を、入射光のうち、可視光を透過させ、紫外光を可視光帯域の蛍光に変換して出射する蛍光ガラスにより形成している。
【００２６】
前記蛍光ガラスは、特許文献１（特開平１１−１９１３０８号公報）にも記載されているように、大きな蛍光強度が得られる特殊なガラスを母体とし、この母体ガラスに蛍光活性イオンとなる希土類イオンを多量に含有させたものであり、約４００〜７５０ｎｍの波長帯域の可視光を約８０％以上の高い透過率で透過させ、約２００〜４００ｎｍの波長帯域の紫外光を効率良く可視光帯域の波長の蛍光に変換して出射する。
【００２７】
この種の蛍光ガラスとしては、例えば、株式会社住田光学ガラス製のルミラスＲ７、ルミラス Ｇ７、ルミラス Ｂ（いずれも商品名）等がある。
【００２８】
また、前記リフレクタ１０の出射側には、アルミニウム等の光反射率の高い金属からなる防爆ガラスホルダ１５が、その基端を前記リフレクタ１０の開口縁に嵌着して設けられており、この防爆ガラスホルダ１５の先端の開口部に前記防爆ガラス１４が取付けられている。なお、前記防爆ガラスホルダ１５は、前記リフレクタ１０の出射角（集光角）と同程度のテーパー角をもった先細り形状の筒状体からなっている。
【００２９】
さらに、この実施例の光源装置は、前記リフレクタ１０の出射口１１の前方に配置された紫外線反射膜１６を備えており、この紫外線反射膜１６は、前記防爆ガラス１４の前記リフレクタ１０に対向する面に貼付けられている。
【００３０】
この光源装置は、前記ショートアークランプ１内の発光部Ａにおいて発光し、このランプ１から放射される光のうち、前記リフレクタ１０の出射口１１に向かって出射した光を直接前記出射口１１から出射するとともに、前記ランプ１から前記リフレクタ１０に向かって出射した光を、このリフレクタ１０の反射面、つまり前記リフレクタボディ１２の外面に形成された反射膜１３の内周面により図１に矢線で示した集光方向に反射して前記出射口１１から出射する。
【００３１】
この光源装置では、前記リフレクタボディ１２を、上述した蛍光ガラスにより形成しているため、前記ランプ１から前記リフレクタ１０に向かって出射した光のうち、図１に実線で示した可視光ａは、前記リフレクタボディ１２を高い透過率で透過して反射膜１３により反射され、前記出射口１１からリフレクタ１０の出射角範囲内の方向に向かって出射する。
【００３２】
一方、前記ランプ１から前記リフレクタ１０に向かって出射した光のうち、図１に破線で示した紫外光ｂは、前記蛍光ガラスからなるリフレクタボディ１２により可視光帯域の蛍光ｃに変換される。
【００３３】
このリフレクタボディ１２により変換された蛍光ｃは完全拡散光であり、その蛍光ｃのうち、前記ボディ１２の内面に向かう拡散光が再びリフレクタ１０内に戻るとともに、前記ボディ１２の外面に向かう拡散光が反射膜１３により反射されて再びリフレクタ１０内に戻る。
【００３４】
そして、リフレクタ１０内に戻った蛍光ｃのうち、前記出射口１１に向かう光は前記出射口１１から出射し、他の方向に向かう光は、前記ボディ１２に再入射して前記反射膜１３により反射され、その繰り返しにより最終的に前記出射口１１から出射する。
【００３５】
なお、前記リフレクタボディ１２により変換された蛍光ｃは完全拡散光であるため、前記出射口１１から出射する蛍光ｃの中には、リフレクタ１０の出射角範囲外に放散する光もあるが、大部分の蛍光ｃは、前記出射角範囲内の方向に向かって出射する。
【００３６】
したがって、この光源装置によれば、前記ショートアークランプ１内の発光部Ａからの光のうち、上述した蛍光ガラスからなるリフレクタボディ１２を透過した可視光と、前記リフレクタボディ１２により紫外光から可視光（可視光帯域の蛍光）に変換された光との両方を、前記リフレクタ１０の出射角範囲内に出射することができ、したがって、前記ショートアークランプ１が発する光（発光部Ａにおいて発光した光）の可視光強度よりも充分に高い強度の可視光を出射することができる。
【００３７】
さらに、この光源装置は、前記リフレクタ１０のボディ１２を蛍光ガラスにより形成し、このリフレクタボディ１２を、前記ランプ１内の発光部Ａからの光のうち、可視光を透過させ、紫外光を可視光に変換して出射する波長変換手段としているため、複雑化させることなく、充分に高い強度の可視光を出射することができる。
【００３８】
また、前記蛍光ガラスは、紫外線波長の希土類イオンのフォトン１個を他の波長のフォトン１個に変換する波長変換機能をもっており、その厚さが厚いほど、つまり希土類イオンの量が多いほど効率良く紫外光を蛍光に変換するが、この光源装置は、その最も外側の部材であるリフレクタ１０のボディ１２を蛍光ガラスにより形成しているため、前記蛍光ガラスの厚さを充分に厚くし、高い波長変換効率を得ることができる。
【００３９】
しかも、この光源装置では、前記リフレクタ１０の出射口１１の前方に紫外線反射膜１６を配置しているため、より高い強度の可視光を出射することができる。
【００４０】
すなわち、この光源装置は、前記ショートアークランプ１からの放射光のうち、前記リフレクタ１０に向かって出射した光中の紫外光ｂを前記蛍光ガラスからなるリフレクタボディ１２により可視光帯域の蛍光ｃに変換するが、ある程度の量の紫外光ｂは、蛍光ｃに変換されずに前記リフレクタボディ１２を透過して反射膜１３により反射され、前記リフレクタ１０の出射口１１から出射する。
【００４１】
また、前記ランプ１からの放射光のうち、直接前記リフレクタ１０の出射口１１に向かう光は前記リフレクタボディ１２を通らずに出射する。
【００４２】
そのため、前記リフレクタ１０の出射口１１から出射する光は、ある程度の紫外光を含んだ光である。
【００４３】
しかし、この光源装置では、前記リフレクタ１０の出射口１１から出射した光が前記紫外線反射膜１６に入射し、その光のうちの可視光、つまり前記ランプ１からの放射光中の可視光ａと、前記リフレクタボディ１２により変換された可視光帯域の蛍光ｃとが図３に実線で示したように前記紫外線反射膜１６を透過して出射し、紫外光ｂが前記紫外線反射膜１６により反射されて前記リフレクタ１０内に戻される。
【００４４】
そして、前記リフレクタ１０内に戻された前記紫外光ｂは、前記リフレクタボディ１２に入射して可視光帯域の蛍光ｃに変換され、その蛍光ｃが前記リフレクタ１０の出射口１１から出射し、さらに前記紫外線反射膜１６を透過して出射する。
【００４５】
したがって、この光源装置によれば、前記ショートアークランプ１が発する光のうちの紫外光ｂを効率良く可視光帯域の蛍光ｃに変換し、より高い強度の可視光を出射することができる。
【００４６】
なお、上記第１の実施例の光源装置は、リフレクタ１０のボディ１２を、ショートアークランプ１内の発光部Ａからの光のうち、可視光を透過させ、紫外光を可視光に変換して出射する波長変換手段としているが、前記波長変換手段は、前記ランプ１内の発光部Ａとリフレクタの反射面との間であれば、他の箇所に設けてもよい。
【００４７】
図４及び図５はこの発明の第２の実施例を示しており、図４は光源装置の断面図、図５は前記光源装置のショートアークランプの一部分のハッチングを省略した拡大断面図である。
【００４８】
この実施例の光源装置は、可視光を透過させ、紫外光を可視光に変換して出射する波長変換手段を兼ねるランプバルブ２ａを備えたショートアークランプ１ａと、内面を反射面としたリフレクタ１０ａと、前記リフレクタ１０ａの出射口１１ａの前方に配置された防爆ガラス１４とを備えたものである。
【００４９】
なお、前記ショートアークランプ１ａの他の構成は上述した第１の実施例と同じであり、また、前記防爆ガラス１４の配置構造も第１の実施例と同じであるから、重複する説明は図に同符号を付して省略する。
【００５０】
この実施例において、前記ショートアークランプ１ａのランプバルブ２ａは、上述した蛍光ガラスからなっており、またリフレクタ１０ａは、石英ガラス等からなるリフレクタボディ１２ａと、このボディ１２ａの内面に設けられた赤外線透過反射膜１３ａとからなっている。
【００５１】
さらに、この光源装置では、前記ショートアークランプ１ａのランプバルブ２ａの外面にその全体にわたって紫外線反射膜１７を設け、第１の実施例においてリフレクタ１０の出射口１１の前方に配置した紫外線反射膜１６を省略している。
【００５２】
すなわち、この光源装置は、ショートアークランプ１ａのランプバルブ２ａを蛍光ガラスにより形成し、このランプバルブ２ａを、可視光を透過させ、紫外光を可視光に変換して出射する波長変換手段としたものである。
【００５３】
この光源装置によれば、前記ランプ１ａ内の発光部Ａからの光のうち、図５に実線で示した可視光ａを前記ランプバルブ２ａを透過させてリフレクタ１０ａ内に出射させるとともに、図５に破線で示した紫外光ｂを前記ランプバルブ２ａにより可視光帯域の蛍光ｃに変換して前記リフレクタ１０ａ内に出射させ、その光を前記リフレクタ１０ａの出射口１１ａから出射することができる。
【００５４】
そのため、前記ランプ１ａ内の発光部Ａからの光のうち、前記ランプバルブ２ａを透過した可視光と、前記ランプバルブ２ａにより紫外光から可視光に変換された光との両方を、前記リフレクタ１０ａの出射角範囲内に出射することができ、したがって、前記ショートアークランプ１ａが発する光（発光部Ａにおいて発光した光）の可視光強度よりも充分に高い強度の可視光を出射することができる。
【００５５】
しかも、この光源装置では、前記ショートアークランプ１ａのランプバルブ２ａの外面に紫外線反射膜１７を設けているため、前記ランプ１ａの発光部Ａからの光のうち、蛍光に変換されずに前記ランプバルブ２ａを透過した紫外光を前記紫外線反射膜１７により反射し、その紫外光を前記ランプバルブ２ａにより蛍光に変換させることができ、したがって、前記ショートアークランプ１ａが発する光のうちの紫外光を効率良く可視光帯域の蛍光に変換し、より高い強度の可視光を前記リフレクタ１０ａの出射口１１ａから出射することができる。
【００５６】
図６はこの発明の第３の実施例を示す光源装置の断面図であり、この光源装置は、上述した第１の実施例のショートアークランプ１と、上述した第２の実施例のリフレクタ１０ａと、前記リフレクタ１０ａの出射口１１ａの前方に配置された防爆ガラス１４とを備え、さらに前記ショートアークランプ１の外側に、その発光部Ａに対応する部分（ランプバルブ２の中間部の膨らみ部）を囲んで、可視光を透過させ、紫外光を可視光に変換して出射するランプカバー（波長変換部材）１８を配置したものである。
【００５７】
この実施例において、前記ランプカバー１８は、上述した蛍光ガラスからなっており、さらに、このランプカバー１８の外面には、その全体にわたって紫外線反射膜１９が設けられている。
【００５８】
この光源装置によれば、前記ランプ１内の発光部Ａにおいて発光し、このランプ１から放射される光のうち、可視光を前記ランプカバー１８を透過させてリフレクタ１０ａ内に出射させるとともに、紫外光を前記ランプカバー１８により可視光帯域の蛍光に変換して前記リフレクタ１０ａ内に出射させ、その光を前記リフレクタ１０ａの出射口１１ａから出射することができる。
【００５９】
そのため、前記ランプ１内の発光部Ａからの光のうち、前記ランプカバー１８を透過した可視光と、前記ランプカバー１８により紫外光から可視光に変換された光との両方を、前記リフレクタ１０ａの出射角範囲内に出射することができ、したがって、前記ショートアークランプ１が発する光（発光部Ａにおいて発光した光）の可視光強度よりも充分に高い強度の可視光を出射することができる。
【００６０】
しかも、この光源装置では、前記ランプカバー１８の外面に紫外線反射膜１９を設けているため、前記ランプ１からの放射光のうち、蛍光に変換されずに前記ランプカバー１８を透過した紫外光を前記紫外線反射膜１９により反射し、その紫外光を前記ランプカバー１８により蛍光に変換させることができ、したがって、前記ショートアークランプ１からの光のうちの紫外光を効率良く可視光帯域の蛍光に変換し、より高い強度の可視光を前記リフレクタ１０ａの出射口１１ａから出射することができる。
【００６１】
上述した各実施例の光源装置において、波長変換手段、つまり第１の実施例におけるリフレクタボディ１２、第２の実施例におけるランプバルブ２ａ、第３の実施例におけるランプカバー１８を形成する蛍光ガラスの種類は、前記ショートアークランプ１，１ａの発光部Ａが発する光の分光特性と、光源装置に要求される出射光の色との関係に応じて選択すればよい。
【００６２】
図７は前記ショートアークランプ１，１ａが発する光の分光特性図であり、ここでは、ここでは高圧水銀ランプが発する光の分光特性を示しているが、メタルハライドランプが発する光も同様な分光特性をもっている。
【００６３】
この図のように、前記ショートアークランプ１，１ａの発光部Ａは、赤の波長帯域である６１０ｎｍ付近の波長光の強度が極端に低く、またの緑の波長帯域である５５０ｎｍ付近の波長光の強度よりも青の波長帯域である４５０ｎｍ付近の波長光の強度が高い、青の色味の強い光を発光する。
【００６４】
一方、図８は紫外光を赤の波長帯域の蛍光に変換して出射する赤色蛍光ガラス（例えば株式会社住田光学ガラス製のルミラス Ｒ７）の出射蛍光の分光特性図、図９は紫外光を緑の波長帯域の蛍光に変換して出射する緑色蛍光ガラス（例えば株式会社住田光学ガラス製のルミラス Ｇ７）の出射蛍光の分光特性図、図１０は紫外光を青の波長帯域の蛍光に変換して出射する青色蛍光ガラス（例えば株式会社住田光学ガラス製のルミラス Ｂ）の出射蛍光の分光特性図であり、いずれも、３６５ｎｍの波長の紫外光を入射させたときの出射蛍光の分光特性を示している。
【００６５】
したがって、例えば光源装置に要求される出射光が白色光である場合は、前記波長変換手段（第１の実施例におけるリフレクタボディ１２、第２の実施例におけるランプバルブ２ａ、第３の実施例におけるランプカバー１８）を、図８のような分光分布の蛍光を出射する赤色蛍光ガラスにより形成すればよく、このようにすることにより、前記ショートアークランプ１，１ａが発する光の赤の波長光の強度を前記赤色蛍光ガラスが出射する赤の蛍光により補ない、光源装置からの出射光を白色光に近くすることができる。
【００６６】
さらに、光源装置に要求される出射光が白色光である場合は、前記波長変換手段を、赤色蛍光ガラスと、図９のような分光分布の蛍光を出射する緑色蛍光ガラスとの混合ガラスにより形成するか、あるいは、前記赤色蛍光ガラスと緑色蛍光ガラスに図１０のような分光分布の蛍光を出射する青色蛍光ガラスをさらに添加した混合ガラスにより形成してもよく、その場合は、各色の蛍光ガラスの混合比を前記ショートアークランプ１，１ａが発する光の各波長光の強度差を補償すりように設定することにより、光源装置からの出射光をさらに白色光に近くすることができる。
【００６７】
なお、前記各色の蛍光ガラスに、強度が１２０ｍＷ／ｃｍ２の３６５ｎｍ紫外光を直径が２０ｍｍの円形スポット光として入射させたときの出射蛍光の明るさは、前記赤色蛍光ガラスで約１０，０００ルクス、前記緑色蛍光ガラスで約１，０００ルクス、前記青色蛍光ガラスで約１，０００ルクスであり、前記各色の蛍光ガラスの混合比は、これらの蛍光ガラスの出射蛍光の明るさの差を考慮して設定すればよい。
【００６８】
また、例えば光源装置に要求される出射光が青色光である場合は、前記波長変換手段を、前記青色蛍光ガラスにより形成すればよく、このようにすることにより、前記ショートアークランプ１，１ａが発する光の青の波長光の強度を前記青色蛍光ガラスが出射する青の蛍光によりさらに高くし、光源装置からの出射光を色純度の高い青色光にすることができる。
【００６９】
さらに、この発明の光源装置は、上述した第１〜第３の実施例のものに限らず、ショートアークランプ内の電極間の発光部とリフレクタの反射面との間に、前記ランプ内の発光部からの光のうち、可視光を透過させ、紫外光を可視光に変換して出射する複数の波長変換手段を備えた構成としてもよい。
【００７０】
すなわち、この発明の光源装置は、例えば、上述した第１の実施例のリフレクタ１０と第２の実施例のショートアークランプ１ａとを組合わせた構成、第１の実施例の光源装置に第３の実施例のランプカバー１８を付加した構成、第１の実施例のリフレクタ１０と第２の実施例のショートアークランプ１ａとを組合わせた光源装置に前記ランプカバー１８をさらに付加した構成、前記第２の実施例の光源装置に前記ランプカバー１８を付加した構成等としてもよい。
【００７１】
なお、このようにショートアークランプ内の発光部とリフレクタの反射面との間に複数の波長変換手段を配置する場合、紫外線反射膜は、前記複数の波長変換手段のうちのショートアークランプの発光部からの光が最後に入射する波長変換手段の出射側にあれば充分である。
【００７２】
【発明の効果】
この発明の光源装置は、ショートアークランプ内の発光部とリフレクタの反射面との間に、入射光のうち、可視光を透過させ、紫外光を可視光に変換して出射する波長変換手段を設けたものであるため、前記ショートアークランプが発する光（発光部において発光した光）の可視光強度よりも充分に高い強度の可視光を出射することができる。
【００７３】
この発明の光源装置において、前記波長変換手段は、入射光のうち、可視光を透過させ、紫外光を蛍光に変換して出射する蛍光ガラスが好ましく、このようにすることにより、前記ショートアークランプ内の発光部Ａからの光のうち、前記蛍光ガラスを透過した可視光と、前記蛍光ガラスにより紫外光から可視光（可視光帯域の蛍光）に変換された光との両方を、前記リフレクタの出射角範囲内に出射することができる。
【００７４】
さらに、この光源装置は、前記リフレクタを、前記蛍光ガラスからなるリフレクタボディと、このボディの外面に形成された反射膜とにより形成した構成とするのが望ましく、このようにすることにより、光源装置の構成を複雑化させることなく、充分に高い強度の可視光を出射することができるとともに、前記蛍光ガラスの厚さを充分に厚くし、高い波長変換効率を得ることができる。
【００７５】
その場合、前記リフレクタの出射口の前方に紫外線反射膜をさらに配置するのが好ましく、このようにすることにより、より高い強度の可視光を出射することができる。
【００７６】
また、この発明の光源装置は、前記ショートアークランプの透光性バルブを前記蛍光ガラスにより形成した構成としてもよく、このようにすることにより、前記ランプ内の発光部からの光のうち、可視光を前記バルブを透過させてリフレクタ内に出射させるとともに、紫外光を前記バルブにより可視光帯域の蛍光ｃに変換して前記リフレクタ内に出射させ、その光を前記リフレクタの出射口から出射することができる。
【００７７】
その場合は、前記ランプの透光性バルブの外面に紫外線反射膜を設けるのが好ましく、このようにすることにより、より高い強度の可視光を出射することができる。
【００７８】
さらに、この発明の光源装置は、前記ショートアークの外側に、その発光部に対応する部分を囲んで、前記蛍光ガラスからなるランプカバーを配置した構成としてもよく、このようにすることにより、前記ランプ内の発光部からの光のうち、可視光を前記ランプカバーを透過させてリフレクタ内に出射させるとともに、紫外光を前記ランプカバーにより蛍光に変換して前記リフレクタ内に出射させ、その光を前記リフレクタの出射口から出射することができる。
【００７９】
その場合は、前記ランプカバーの外面に紫外線反射膜を設けるのが好ましく、このようにすることにより、より高い強度の可視光を出射することができる。
【図面の簡単な説明】
【図１】この発明の第１の実施例を示す光源装置の断面図。
【図２】第１の実施例の光源装置のリフレクタの一部分のハッチングを省略した拡大断面図。
【図３】第１の実施例の光源装置の防爆ガラス部の拡大断面図。
【図４】この発明の第２の実施例を示す光源装置の断面図。
【図５】第２の実施例の光源装置のショートアークランプの一部分のハッチングを省略した拡大断面図。
【図６】この発明の第３の実施例を示す光源装置の断面図。
【図７】ショートアークランプが発する光の分光特性図。
【図８】赤色蛍光ガラスの出射蛍光の分光特性図。
【図９】緑色蛍光ガラスの出射蛍光の分光特性図。
【図１０】青色蛍光ガラスの出射蛍光の分光特性図。
【符号の説明】
１，１ａ…ショートアークランプ、２…ランプバルブ、２ａ…蛍光ガラスからなるランプバルブ（波長変換手段）、３，４…電極、Ａ…発光部、１０，１０ａ…リフレクタ、１１，１１ａ…出射口、１２…蛍光ガラスからなるリフレクタボディ（波長変換手段）、１２ａ…リフレクタボディ、１３，１３ａ…反射膜、１４…防爆ガラス、１５…防爆ガラスホルダ、１６，１７…紫外線反射膜、１８…蛍光ガラスからなるランプカバー（波長変換手段）、１９…紫外線反射膜。
【図１】
2004206949.tif 000003
【図２】
2004206949.tif 000004
【図３】
2004206949.tif 000005
【図４】
2004206949.tif 000006
【図５】
2004206949.tif 000007
【図６】
2004206949.tif 000008
【図７】
2004206949.tif 000009
【図８】
2004206949.tif 000010
【図９】
2004206949.tif 000011
【図１０】
2004206949.tif 000012